(57)【要約】【課題】  個人情報を適切に保護可能なデータ管理装置、データ管理装置を備えたナビゲーション装置及び個人情報データの消去方法を提供する。【解決手段】  個人情報をデータ内容とする個人情報データを格納する記憶部３６と、現在位置を検出して現在位置情報を出力可能なＧＰＳ受信部１４とに接続されたデータ管理装置１を備えたナビゲーション装置１０であって、データ管理装置１が現在位置情報と一致すると判定した場合に個人情報データを消去するための車両貸渡場所と、データ管理装置１が個人情報データを消去せずに保持する車両貸渡期間とを設定し、車両貸渡期間(個人情報有効期限)経過後、または車両貸渡場所到着後にデータ管理装置１が記憶された個人情報データを消去することを特徴とする。【選択図】  図５
2007034754.tif 000002
【特許請求の範囲】
【請求項１】
個人情報をデータ内容とする個人情報データを格納する記憶部と、現在位置を検出して現在位置情報を出力可能な位置検出部とに接続されたデータ管理装置であって、
前記現在位置情報に基づいて、前記個人情報データを消去することを特徴とするデータ管理装置。
【請求項２】
前記現在位置情報と一致すると判定した場合に前記個人情報データを消去するための位置情報を設定可能なことを特徴とする請求項１記載のデータ管理装置。
【請求項３】
前記個人情報データを消去せずに保持するメモリ保持時間を設定可能なことを特徴とする請求項１または２記載のデータ管理装置。
【請求項４】
前記個人情報が、ユーザが登録した電話番号、電子メールアドレスのうち少なくとも１つを含むことを特徴とする請求項１から３いずれか１項記載のデータ管理装置。
【請求項５】
前記個人情報が、ユーザの操作に基づき記憶される所定の情報を含むことを特徴とする請求項１から４いずれか１項記載のデータ管理装置を備えたナビゲーション装置。
【請求項６】
前記所定の情報は、ユーザが登録した地点、設定した目的地、車両走行軌跡のうち少なくとも１つを含むことを特徴とする請求項５記載のナビゲーション装置。
【請求項７】
個人情報データを消去せずに保持するメモリ保持時間が経過したかを判定するステップと、
個人情報を消去するための位置情報と現在位置とが一致するかを判定するステップと、
前記メモリ保持時間が経過した場合に、個人情報データを消去するステップと、
前記位置情報と現在位置とが一致した場合に、個人情報データを消去するステップと
を実行することを特徴とする個人情報データの消去方法。
【発明の詳細な説明】
【技術分野】
【０００１】
本発明は、データ管理装置、データ管理装置を備えたナビゲーション装置及び個人情報データの消去方法に関する。
【背景技術】
【０００２】
近年、車両が現在走行している位置情報を人工衛星から受信し、車両の位置情報を地図情報と共に表示部に表示し、運転者を誘導するナビゲーション装置が実用化されている。ナビゲーション装置では、携帯電話機などの携帯通信端末を接続することで、携帯通信端末を介してインターネット網へのアクセスが可能な通信機能が実用化されている。さらに、携帯電話機を接続可能なナビゲーション装置では、両手でステアリングを握ったまま、スピーカやマイクを通して通話するハンズフリー機能も実用化されている。携帯電話機との接続機能とともに音声認識機能を有するナビゲーション装置では、例えば地点の登録名称や電話番号の読み上げによって電話をかけることが可能である。さらに、接続した携帯電話機のメモリダイヤルをナビゲーション装置に登録すれば、ユーザ個人の情報に基づく連絡先の相手とドライブ中にハンズフリーで通話可能である。
【０００３】
メモリダイヤル等個人情報を有している携帯電話機などの携帯通信端末を紛失した場合に、個人情報を適切に保護するために特許文献１では以下に示す技術を提案している。特許文献１が提案する携帯通信端末制御方法は、携帯通信端末を紛失した際に携帯通信端末を遠隔操作することで、正当な所有者以外の所有者による通話や携帯通信端末に記憶された個人情報の閲覧を不可にする。これによって、個人情報を適切に保護することが可能である。
【特許文献１】特開２００３−３１９４５３号公報
【発明の開示】
【発明が解決しようとする課題】
【０００４】
前述したように、携帯電話機の有するメモリダイヤルや電子メールアドレスなどの個人情報は、例えばハンズフリー機能を有するナビゲーション装置にも登録される。個人情報を登録可能なナビゲーション装置をレンタカーが備える場合には、レンタカー返却時にユーザが個人情報を消去し忘れると、ナビゲーション装置に残った個人情報がユーザ以外の第三者に知られてしまう虞がある。しかしながら、携帯電話機を遠隔操作する特許文献１の提案技術では、ナビゲーション装置に登録した個人情報を適切に保護することができない。
【０００５】
本発明は、上記課題に鑑みてなされたものであり、個人情報を適切に保護可能なデータ管理装置、データ管理装置を備えたナビゲーション装置及び個人情報データの消去方法を提供することを目的とする。
【課題を解決するための手段】
【０００６】
上記課題を解決するために、本発明は、個人情報をデータ内容とする個人情報データを格納する記憶部と、現在位置を検出して現在位置情報を出力可能な位置検出部とに接続されたデータ管理装置であって、前記現在位置情報に基づいて、前記個人情報データを消去することを特徴とする。
【０００７】
例えばレンタカーが備える車載用ナビゲーション装置に本発明のデータ管理装置を適用した場合を想定する。この場合、ユーザが車載用ナビゲーション装置に個人情報として例えば電子メールアドレスを登録しても、本発明のデータ管理装置は、レンタカーが返却地点に到着したという現在位置情報に基づいて、個人情報データを消去する。これによって、個人情報が記憶部に残って第三者に知られてしまう事態を防ぎ、個人情報を適切に保護することが可能である。
【０００８】
また、本発明は、前記現在位置情報と一致すると判定した場合に前記個人情報データを消去する位置情報を設定可能であってもよい。本発明によれば、設定した位置情報と現在位置情報とが一致した場合に、データ管理装置は個人情報データを消去する。なお、設定しようとする位置情報が複数存在する場合には、該位置情報をデータテーブルで有することが可能である。
【０００９】
また、本発明は、前記個人情報データを消去せずに保持するメモリ保持時間を設定可能であってもよい。本発明によれば、設定したメモリ保持時間経過後に、データ管理装置が個人情報データを自動的に消去する。これによって、個人情報を適切に保護することが可能である。
【００１０】
また、本発明は、前記個人情報が、ユーザが登録した電話番号、電子メールアドレスのうち少なくとも１つを含んでもよい。本発明によれば、データ管理装置は例えばユーザが携帯電話機のメモリダイヤルから登録した電話番号を個人情報として扱うので、登録した電話番号を個人情報として適切に保護可能である。
【００１１】
また、本発明は、前記個人情報が、ユーザの操作に基づき記憶される所定の情報を含むことを特徴とする請求項１から４いずれか１項記載のデータ管理装置を備えたナビゲーション装置であってもよい。本発明によれば、データ管理装置は、ユーザがナビゲーション装置を操作した結果記憶される所定の情報も個人情報として扱うので、ユーザの操作に基づき記憶される所定の情報も第三者に知られないよう適切に保護可能である。
【００１２】
また、本発明は、前記所定の情報は、ユーザが登録した地点、設定した目的地、車両走行軌跡のうち少なくとも１つを含むことを特徴とする請求項５記載のナビゲーション装置であってもよい。すなわち、前記所定の情報としては、ユーザがナビゲーション装置で登録した地点や設定した目的地や車両走行軌跡などがあり、データ管理装置はこれらの情報を個人情報として扱い、適切に保護する。なお、これらの情報はナビゲーション装置が記憶する所定の情報の例示であり、例えばナビゲーション装置が検索履歴情報などを記憶する場合には、データ管理装置は検索履歴情報を個人情報として扱い、保護することが可能である。
【００１３】
また、本発明は、個人情報データを消去せずに保持するメモリ保持時間が経過したかを判定するステップと、個人情報を消去するための位置情報と現在位置とが一致するかを判定するステップと、前記メモリ保持時間が経過した場合に、個人情報データを消去するステップと、前記位置情報と現在位置とが一致した場合に、個人情報データを消去するステップとを実行することを特徴とする個人情報データの消去方法である。
【発明の効果】
【００１４】
本発明によれば、個人情報を適切に保護可能なデータ管理装置、データ管理装置を備えたナビゲーション装置及び個人情報データの消去方法を提供できる。
【発明を実施するための最良の形態】
【００１５】
以下、本発明を実施するための最良の形態を図面と共に詳細に説明する。
【００１６】
本実施例に係るデータ管理装置１及びデータ管理装置１を備える車載用ナビゲーション装置１０（以下、単にナビゲーション装置１０と称す）の構成を、図１を用いて詳細に説明する。ナビゲーション装置１０がデータ管理装置１を備える場合には、データ管理装置１はナビゲーション装置１０の制御部２７で実現可能である。すなわち、制御部２７は、ナビゲーション装置１０の構成であると同時にデータ管理装置１の構成でもある。図１において、読取り機構１１は、地図データやその他の案内データを格納したＣＤ（コンパクトディスク）−ＲＯＭ（Read Only Memory）やＤＶＤ（Digital Versatile Disc）−ＲＯＭ等の記録媒体（地図データベース）を読み込むための構成である。ただし、これに限定されず、たとえばハードディスクドライブなどの記憶装置も適用することができる。
【００１７】
操作部１２は、ユーザがナビゲーション装置１０に各種操作・設定を入力するための構成である。これは、リモートコントローラ装置やコントロールパネル等のように個別に構成されていても、後述する表示部１６と一体に形成されたタッチパネル式の入力装置として構成されていても良い。更には、音声入力用のマイクロフォン等で構成されてもよい。また、操作部１２のうち、通話機能に関する一部を操作釦として図示しないステアリングに設けて、ハンズフリー操作を実現させることも可能である。
【００１８】
ＶＩＣＳ（道路交通情報通信システム）受信部１３は、電波ビーコン又は光ビーコンから送信されてくるＶＩＣＳ情報を受信するための構成である。ＧＰＳ（Global Positioning System）受信部（位置検出部）１４は、ＧＰＳ衛星から送信されてくるＧＰＳ信号を受信して車両の現在位置の緯度及び経度を検出するための構成である。自律航法センサ１５は、車両方位を検出するためのジャイロ等を含む角度センサ１５ａと、一定の走行距離毎にパルスを発生する距離センサ１５ｂとを有して構成されており、車両の進行方向や速度を検出する。
【００１９】
表示部１６は、例えば液晶表示方式のディスプレイ装置等で構成され、ナビゲーション装置１０から入力された、地図や誘導経路や車両の現在位置や建造物その他アイコン等の各種情報を表示するための構成である。スピーカ１７は、同じくナビゲーション装置１０から入力された音声案内情報等を出力するための構成である。尚、スピーカ１７はその他、音響装置等から入力された音楽等も出力することができる。
【００２０】
また、ナビゲーション装置１０において、バッファメモリ２１は、後述する制御部２７からの制御の下に読取り機構１１から入力された地図データ等を一時的に格納するための構成である。Ｉ／Ｆ（インタフェース）２２，２３，２４，２５、２６は、それぞれ操作部１２，ＶＩＣＳ受信部１３，ＧＰＳ受信部１４，自律航法センサ１５、後述する携帯電話機３５とナビゲーション装置１０における内部バスとを接続するための構成である。
【００２１】
制御部２７は、例えばマイクロコンピュータやＣＰＵ（中央演算処理装置）等の演算処理装置で構成される。この制御部２７は、ナビゲーション用のプログラムを内蔵しており、このプログラムに従い、ＧＰＳ受信部１４及び自律航法センサ１５から出力される信号に基づいて車両の現在位置を検出したり、表示させたい地図のデータ等を読取り機構１１からバッファメモリ２１に読み出したり、バッファメモリ２１に読み出した地図データから誘導経路を探索したり、設定された探索条件に合う誘導経路をバッファメモリ２１に読み出された地図データ等を用いて１つ以上探索する等のナビゲーションに係る種々の処理を実行する。但し、例えば上記のプログラムをＣＤ−ＲＯＭやＤＶＤ−ＲＯＭ等に記憶しておくことも可能である。この場合、制御部２７は必要に応じてこれを読出し、実行する。
【００２２】
さらに、制御部２７は、データ管理装置１として個人情報データを消去するためのプログラムを内蔵する。但し、個人情報データを消去するためのプログラムをＣＤ−ＲＯＭやＤＶＤ−ＲＯＭ等に記憶しておくことも可能である。また、データ管理装置１が実行するプログラムに対して、個人情報データを消去するための位置情報と、個人情報データを消去せずに保持するためのメモリ保持期間とを設定可能である。設定した位置情報とメモリ保持期間とは、後述する記憶部３６に格納することが可能である。
【００２３】
地図描画部２８は、バッファメモリ２１に読み出された地図データを用いて地図イメージの描画処理を行うための構成である。表示情報生成部２９は、動作状況に応じて各種メニュー画面（操作画面）やカーソル等の各種マークを生成するための構成である。誘導経路記憶部３０は、出発地及び目的地やその他の探索条件に基づいて制御部２７において探索された誘導経路の全てのノードに関するデータを格納しておくための構成である。誘導経路描画部３１は、誘導経路記憶部３０から誘導経路データを読み出して誘導経路を他の道路とは異なる表示態様（色や線幅を用いた強調表示等）で描画するための構成である。アイコン描画部３２は、地図イメージ上に描画する建造物やスポットや自車または他車などのアイコンの描画処理を行うための構成である。音声出力部３３は、例えばＤＳＰ（Digital Signal Processor）等を含んで構成され、制御部２７からの信号に基づいて音声信号をスピーカ１７に出力する。
【００２４】
画像合成部３４は、地図描画部２８で描画された地図イメージに、誘導経路描画部３１で描画された誘導経路や、表示情報生成部２９で描画された操作画面及び各種マークや、アイコン描画部３２で描画された各種アイコンや、制御部２７から入力された画像等を適宜重ねて、表示部１６に表示させるための構成である。
【００２５】
携帯電話機３５に接続されたナビゲーション装置１０は、スピーカ１７から相手の話を聞き、マイクロフォンで構成された操作部１２に音声を入力することで、ユーザが両手をステアリングから離すことなく通話可能なハンズフリー機能を有している。また、ユーザは、接続した携帯電話機３５のメモリダイヤルをナビゲーション装置１０に登録可能である。
【００２６】
ナビゲーション装置１０に登録されたメモリダイヤルは、より具体的にはナビゲーション装置１０に接続された記憶部３６に格納される。記憶部３６は、例えばハードディスクドライブなどの記憶装置で実現可能である。ただし、例えば読取り機構１１がハードディスクドライブなどの記憶装置で実現されている場合には、読取り機構１１の一部の記憶領域を記憶部３６として援用可能である。
【００２７】
また、ナビゲーション装置１０は図示しない通信モデムを有し、携帯電話機３５を接続した状態でインターネット網へのアクセスが可能な通信機能を有している。ナビゲーション装置１０で電子メールの送受信を行うために、ユーザは、接続した携帯電話機３５のメールアドレスをナビゲーション装置１０に登録可能である。上述したメモリダイヤルと同様、メールアドレスも記憶部３６に格納される。
【００２８】
上述した構成で、次にナビゲーション装置１０に記憶された個人情報のデータを本実施例に係るデータ管理装置１が消去する過程を具体例で詳述する。本具体例においては、レンタカーがナビゲーション装置１０を備えている。そのため、ナビゲーション装置１０に記憶された個人情報は、借主以外の第三者に知られないようレンタカー返却時に確実に消去されなければならない。係る要請に対して、本具体例に係るナビゲーション装置１０はデータ管理装置１を備えているので、レンタカー貸渡時に個人情報データを消去するための車両貸渡期間（メモリ保持期間）及び車両返却場所（位置情報）を設定可能である。なお、レンタカーを貸渡す営業所によってのみ車両貸渡期間及び車両返却場所を設定可能なように、例えば設定の際にパスワード入力を要求したり特殊な操作を要するようにしてもよい。
【００２９】
図２は、個人情報有効期限設定を知らせる表示画面４０の一例を示す図である。図２に示すように、個人情報有効期限は、２００５年４月４日の１０：００から２００５年４月６日の９：５９までの２日間である。この個人情報有効期限は、営業所が設定した車両返却期間である。車両返却期間を設定すると、レンタカー貸渡時に個人情報有効期限を知らせるために表示部１６に表示画面４０が表示される。レンタカー貸渡時に表示画面４０が表示されるように、例えば車両貸渡期間を設定した後、所定の操作が入力されるまで表示画面４０が表示され続けるようにできる。車両貸渡時に表示画面４０を確認することによって、借主は、個人情報をナビゲーション装置１０に登録しても、登録した個人情報のデータが有効期限経過後に自動的に消去されることを知ることができる。これによって借主は、安心してナビゲーション装置１０に個人情報を登録できる。また、表示画面４０の表示内容によって、レンタカーが返却地点に到着した場合にも、借主はユーザ操作で個人情報データを削除できることを知ることができる。
【００３０】
上述したレンタカーの返却地点はレンタカーの返却が可能な営業所の所在地であり、記憶部３６が、返却可能な営業所の所在地を車両返却場所としてデータテーブルで有している。データテーブルには、新たな営業所を追加登録したり、削除したりすることが可能である。営業所は、データテーブルに含まれる全営業所の所在地を、個人情報データを消去するための車両返却場所として設定可能である。また、営業所は、データテーブルに含まれる全営業所のうちからレンタカーの返却可能な営業所を指定することで、個人情報データを消去するための車両返却場所を設定することも可能である。なお、車両返却場所は、上述した車両貸渡期間と同時に設定される。
【００３１】
レンタカー貸出中には、借主はデータ管理装置１を備えたナビゲーション装置１０で以下の操作を入力できる。まず、借主は一般的なナビゲーション装置と同様に、目的地設定や地点登録などの操作を入力できる。また、携帯電話機３５を接続して、携帯電話機３５のメモリダイヤルをナビゲーション装置１０に登録することが可能である。携帯電話機３５からナビゲーション装置１０にメモリダイヤルを登録することで、借主はドライブ中にメモリダイヤルの相手とハンズフリーで通話することができる。また、インターネット網を利用した電子メールのメールアドレスを携帯電話機３５からナビゲーション装置１０に登録することが可能である。これによって、ユーザはドライブ中にハンズフリーでメールの送受信を実行することが可能である。なお、本具体例では、データ管理装置１は、登録したメモリダイヤルやメールアドレスだけでなく、設定した目的地や登録した地点や車両走行軌跡など、ユーザ操作によってナビゲーション装置１０に記憶される情報（メモリ内容）も個人情報データとして扱う。
【００３２】
また、設定されている車両貸渡期間は、レンタカー貸出中に延長可能である。例えばレンタル期間を延長する場合に、延長前の車両貸渡期間経過後に個人情報データが消去されてしまうと、借主にとって不便である。そのため、本具体例では借主が営業所へ延長申請した場合、営業所は携帯電話機３５を介して設定されている車両貸渡期間を遠隔操作で延長設定することが可能である。なお、営業所への延長申請は後述する操作によって実現可能である。
【００３３】
レンタカー貸出最終日には、データ管理装置１は、エンジン始動毎に例えば３秒乃至５秒といった所定時間、個人情報有効期限目前を知らせる表示画面５０を表示部１６に表示させる。図３は、個人情報有効期限目前を知らせる表示画面５０の一例を示す図である。借主は、レンタカー貸出最終日にエンジン始動毎に表示される表示画面５０によって、登録した個人情報が、車両貸渡期間経過後に確実に消去されることを知ることが可能である。また、表示画面５０が表示されている間、借主は車両貸渡期間を一日延長することも可能である。一日延長する場合には、借主は表示画面５０の「一日延長」の部分を操作部１２によって選択する。「一日延長」が選択されると、ナビゲーション装置１０は携帯電話機３５を介して例えば電子メールによって営業所に延長申請を通知する。延長申請の通知を受けた営業所は、携帯電話機３５を介して設定されている車両貸渡期間を遠隔操作で延長設定する。なお、「一日延長」選択時に営業所に延長申請を通知することなく、データ管理装置１が車両貸渡期間を一日延長することも可能である。
【００３４】
車両貸渡期間を一日延長しない状態で、さらに個人情報有効期限に近づくと、データ管理装置１は、エンジン始動毎だけでなく例えば２時間といった一定時間毎に上述した表示画面５０を表示させる。レンタカーが車両返却場所に到着する前に個人情報有効期限が切れると、データ管理装置１は個人情報データを消去する。車両返却場所到着前でも個人情報データを消去するのは、個人情報の保護を重視する趣旨である。但し、例えば借主は営業所と連絡を取って車両返却場所に到着するまで個人情報データの消去を中止する遠隔操作を実行してもらう等の措置を取ることも可能である。これによって、ナビゲーション装置１０に個人情報データが残って、レンタカー返却後に第三者に個人情報を知られる事態を防ぎ、好適に個人情報を保護可能である。
【００３５】
一方、レンタカーが個人情報有効期限内に車両返却場所に到着すると、データ管理装置１は表示部１６に表示画面６０を表示させる。レンタカーが車両返却場所に到着したかどうかは、ＧＰＳ受信部１４が検出するレンタカーの現在位置と、設定されている車両返却場所とに基づいて判定可能である。図４は、レンタカーが車両返却場所に到着した際に表示される表示画面６０の一例を示す図である。レンタカーが車両返却場所に到着すると、表示画面６０によって個人情報を消去する旨が通知される。表示画面６０が表示されている間に、ユーザが「中止」を選択しなかった場合には、所定時間経過後に個人情報データが自動的に消去される。ユーザが「中止」を選択した場合には、一旦個人情報データの消去が中止される。例えばレンタカーが返却予定でない別の車両返却場所に差し掛かった際に、表示画面６０が表示された場合には「中止」を選択することで個人情報データの消去を中止できる。また、「中止」を選択してから所定時間経過後、レンタカーが車両返却場所に到着していると再度判定すれば、データ管理装置１は表示画面６０を再び表示させる。なお、表示画面６０が表示されている際にも、上述した車両貸渡期間の「一日延長」を選択することが可能である。
【００３６】
実際にレンタカーが車両返却場所に到着し、表示画面６０が表示されている間にユーザが「中止」や「一日延長」の操作を入力しなければ、所定時間経過後、データ管理装置１はナビゲーション装置１０に記憶された個人情報データを消去する。これによって、ナビゲーション装置１０に個人情報データが残って、レンタカー返却後に第三者に個人情報を知られる事態を防ぎ、好適に個人情報を保護可能である。
【００３７】
次に本具体例に係るナビゲーション装置１０が備えるデータ管理装置１が実行する個人情報データの消去方法の一例を、フローチャートを用いて詳述する。図５は、データ管理装置１が実行する個人情報データの消去方法の一例をフローチャートで示す図である。図５に示すように、データ管理装置１は、現在の日時が車両貸渡期間中であるかどうかを判定する（ステップ１１）。車両貸渡期間中でなければ、データ管理装置１はステップ１１を繰返し実行する。すなわち、ナビゲーション装置１０起動後、データ管理装置１はバックグラウンドで車両貸渡期間中であるかどうかを常に判定する。車両貸渡期間中であれば、データ管理装置１は本日が車両の返却日であるかどうかを判定する（ステップ１２）。車両の返却日でなければ、データ管理装置１は記憶された個人情報データを消去しないので、借主はナビゲーション装置１０の通常操作を入力可能であり（ステップ１３）、データ管理装置１は再びステップ１１を実行する。車両の返却日であれば、データ管理装置１は車両の現在地点が車両返却場所かどうかを判定する（ステップ１４）。車両返却場所でなければ、データ管理装置１はエンジン始動時に個人情報有効期限目前を知らせる表示画面５０を表示させる（ステップ１５）。さらに、データ管理装置１は車両貸渡期間の期限に近づくと、一定時間毎に個人情報有効期限目前を知らせる表示画面５０を表示させる（ステップ１６）。続いて、データ管理装置１は、有効期限が経過したか判定する（ステップ１７）。有効期限が経過していれば、データ管理装置１は記憶された個人情報データを消去する（ステップ１９）。有効期限が経過していなければ、データ管理装置１は、再びステップ１４を実行する。ステップ１４において、車両返却場所であれば、データ管理装置１は個人情報データの消去を知らせる表示画面６０を表示させる（ステップ１８）。続いて所定時間経過後、データ管理装置１は記憶された個人情報データを消去する（ステップ１９）。これによって、個人情報を適切に保護可能な、個人情報データの消去方法を実現可能である。
【００３８】
なお、レンタルサービスでＧＰＳ受信部１４を備え、現在位置を検出可能な携帯端末などを貸渡す場合には、貸渡す携帯端末にデータ管理装置１を適用可能である。以上により、個人情報を適切に保護可能なデータ管理装置１、データ管理装置１を備えたナビゲーション装置１０及び個人情報データの消去方法を実現可能である。
【００３９】
上述した実施例は本発明の好適な実施の例である。但し、これに限定されるものではなく、本発明の要旨を逸脱しない範囲内において種々変形実施可能である。
【図面の簡単な説明】
【００４０】
【図１】データ管理装置１及びデータ管理装置１を備える車載用ナビゲーション装置１０の構成を示す図である。
【図２】個人情報有効期限設定を知らせる表示画面４０の一例を示す図である。
【図３】個人情報有効期限目前を知らせる表示画面５０の一例を示す図である。
【図４】レンタカーが車両返却場所に到着した際に表示される表示画面６０の一例を示す図である。
【図５】データ管理装置１が実行する個人情報データの消去方法の一例をフローチャートで示す図である。
【符号の説明】
【００４１】
１  データ管理装置
１０  ナビゲーション装置
１１  読取り機構
１２  操作部
１３  ＶＩＣＳ受信部
１４  ＧＰＳ受信部
１５  自律航法センサ
１５ａ  角度センサ
１５ｂ  距離センサ
１６  表示部
１７  スピーカ
２１  バッファメモリ
２２、２３、２４、２５、２６  Ｉ／Ｆ
２７  制御部
２８  地図描画部
２９  表示情報生成部
３０  誘導経路記憶部
３１  誘導経路描画部
３２  アイコン描画部
３３  音声出力部
３４  画像合成部
３５  携帯電話機
３６  記憶部
４０、５０、６０  表示画面
【図１】
2007034754.tif 000003
【図２】
2007034754.tif 000004
【図３】
2007034754.tif 000005
【図４】
2007034754.tif 000006
【図５】
2007034754.tif 000007